(57)【要約】エンドユーザによる作品の体験は、作品を少しずつ配信し、追加のインタラクティブ要素を加えることにより向上する。作品の部分は、エンドユーザにスケジュールに則って（任意に、エンドユーザからの要求により）配信され、エンドユーザのインタラクションが所定の基準を満たす場合の見返りとして配信される。エンドユーザは、次の部分の配信前に、この部分に付随するタスクの実行が必要あるいは要求される。このユーザのタスクへの回答（またはその欠如）が記録され、ユーザは任意に彼または彼女の回答を後に見返すことができる。各タスクには正答と誤答があり、あるいはタスクは任意回答を要求してもよい。任意で、特定の管理者が担当する複数のユーザのタスクへの回答を管理者が閲覧することができる。【選択図】図１
2008509487.tif 000002
【特許請求の範囲】
【請求項１】
電子的に出版される作品の読者体験を向上させる方法であって：
前記電子的に出版される作品の第１の部分を読者に配信するステップと；
前記電子的に出版される作品の次の部分へ進む前に、前記読者に前記第１の部分のコンテンツクエリへの回答の送信を要求するステップと；
前記第１の部分のコンテンツクエリへの回答の送信後に、前記電子的に出版される作品の次の部分を前記読者に配信するステップとを含むことを特徴とする方法。
【請求項２】
請求項１に記載の方法において、前記読者に回答の送信を要求するステップが：
前記読者をネットワークロケーションに導くステップと；
前記ネットワークロケーションにおいて前記回答の送信を受けるクエリインタフェースを提供するステップとを含むことを特徴とする方法。
【請求項３】
請求項２に記載の方法において、前記クエリインタフェースを提供する前にさらに前記ユーザを認証するステップを含むことを特徴とする方法。
【請求項４】
請求項１に記載の方法において、前記読者に回答の送信を要求するステップは、前記読者にネットワークを介してコンテンツ管理サーバに回答の送信を要求するステップを含むことを特徴とする方法。
【請求項５】
請求項４に記載の方法において、さらに、前記コンテンツ管理サーバにおいて前記回答を保存するステップを含むことを特徴とする方法。
【請求項６】
請求項５に記載の方法において、さらに、前記コンテンツ管理サーバへ回答を送信した後に、前記読者がこの回答を再び見られるようにするステップを含むことを特徴とする方法。
【請求項７】
請求項１に記載の方法において、さらに、前記読者が前記電子的に出版される作品のそれまでに配信された部分を再び見られるようにするステップを含むことを特徴とする方法。
【請求項８】
請求項１に記載の方法において、前記第１の部分を配信するステップおよび前記次の部分を配信するステップが、ネットワークを介して配信するステップを含むことを特徴とする方法。
【請求項９】
請求項１に記載の方法において、前記第１の部分を配信するステップおよび前記次の部分を配信するステップが、電子メールで配信するステップを含むことを特徴とする方法。
【請求項１０】
請求項１に記載の方法において、記第１の部分を配信するステップおよび前記次の部分を配信するステップが、ネットワークを介してＰＤＡ装置に配信するステップを含むことを特徴とする方法。
【請求項１１】
請求項１に記載の方法において、前記電子的に出版される作品の次の部分へ進む前に、前記読者に前記第１の部分のコンテンツクエリへの回答の送信を要求するステップは、前記読者に前記作品の次の部分へ進む前に第１の部分のコンテンツクエリへの正しい回答を送信するよう要求するステップを含むことを特徴とする方法。
【請求項１２】
請求項１に記載の方法において、さらに、前記第１の部分のコンテンツクエリへの回答に関するフィードバックを前記読者に提供するステップを含むことを特徴とする方法。
【請求項１３】
請求項１に記載の方法において、さらに、前記読者による回答の送信後に、前記第１の部分のコンテンツクエリへのモデル回答を前記読者に提供するステップを含むことを特徴とする方法。
【請求項１４】
請求項１に記載の方法において、前記第１の部分を配信するステップが、前記第１の部分を所定の時間に配信するステップを含むことを特徴とする方法。
【請求項１５】
請求項１に記載の方法において、前記第１の部分を配信するステップが、前記第１の部分を前記読者の要求に応じて配信するステップを含むことを特徴とする方法。
【請求項１６】
請求項１に記載の方法において、前記第１の部分を配信するステップが、前記第１の部分を実質的に前記読者のアクションによることなく配信するステップを含むことを特徴とする方法。
【請求項１７】
請求項１に記載の方法において、前記第１の部分を配信するステップが、前記第１の部分を予め定められた基準を前記読者が満たした場合に配信するステップを含むことを特徴とする方法。
【請求項１８】
電子的に出版される作品の読者体験を向上させる方法であって：
前記電子的に出版される作品の第１の部分を読者に配信するステップと；
前記電子的に出版される作品の次の部分へ進む前に、前記読者に前記第１の部分のコンテンツクエリへの回答の送信を要求するステップと；
前記電子的に出版される作品の次の部分へ進むステップと；
前記電子的に出版される作品の次の部分を前記読者に配信するステップとを含むことを特徴とする方法。
【請求項１９】
請求項１８に記載の方法において、前記読者に回答の送信を要求するステップが：
前記読者をネットワークロケーションに導くステップと；
前記ネットワークロケーションにおいて前記回答の送信を受けるクエリインタフェースを提供するステップとを含むことを特徴とする方法。
【請求項２０】
請求項１９に記載の方法において、前記クエリインタフェースを提供する前にさらに前記ユーザを認証するステップを含むことを特徴とする方法。
【請求項２１】
請求項１８に記載の方法において、前記読者に回答の送信を要求するステップは、前記読者にネットワークを介してコンテンツ管理サーバに回答の送信を要求するステップを含むことを特徴とする方法。
【請求項２２】
請求項２１に記載の方法において、さらに、前記コンテンツ管理サーバにおいて前記回答を保存するステップを含むことを特徴とする方法。
【請求項２３】
請求項２２に記載の方法において、さらに、前記コンテンツ管理サーバへ回答を送信した後に、前記読者がこの回答を再び見られるようにするステップを含むことを特徴とする方法。
【請求項２４】
請求項１８に記載の方法において、さらに、前記読者が前記電子的に出版される作品のそれまでに配信された部分を再び見られるようにするステップを含むことを特徴とする方法。
【請求項２５】
請求項１８に記載の方法において、前記第１の部分を配信するステップおよび前記次の部分を配信するステップが、ネットワークを介して配信するステップを含むことを特徴とする方法。
【請求項２６】
請求項１８に記載の方法において、前記第１の部分を配信するステップおよび前記次の部分を配信するステップが、電子メールで配信するステップを含むことを特徴とする方法。
【請求項２７】
請求項１８に記載の方法において、記第１の部分を配信するステップおよび前記次の部分を配信するステップが、ネットワークを介してＰＤＡ装置に配信するステップを含むことを特徴とする方法。
【請求項２８】
請求項１８に記載の方法において、さらに、前記第１の部分のコンテンツクエリへの回答に関するフィードバックを前記読者に提供するステップを含むことを特徴とする方法。
【請求項２９】
請求項１８に記載の方法において、さらに、前記読者による回答の送信後に、前記第１の部分のコンテンツクエリへのモデル回答を前記読者に提供するステップを含むことを特徴とする方法。
【請求項３０】
請求項１８に記載の方法において、前記第１の部分を配信するステップが、前記第１の部分を所定の時間に配信するステップを含むことを特徴とする方法。
【請求項３１】
請求項１８に記載の方法において、前記第１の部分を配信するステップが、前記第１の部分を前記読者の要求に応じて配信するステップを含むことを特徴とする方法。
【請求項３２】
請求項１８に記載の方法において、前記第１の部分を配信するステップが、前記第１の部分を実質的に前記読者のアクションによることなく配信するステップを含むことを特徴とする方法。
【請求項３３】
請求項１８に記載の方法において、前記第１の部分を配信するステップが、前記第１の部分を予め定められた基準を前記読者が満たした場合に配信するステップを含むことを特徴とする方法。
【請求項３４】
電子的に出版される作品の読者体験を向上させる方法であって：
所定の条件を満たす場合に、ネットワークを介して、前記電子的に出版される作品の第１の部分を読者に配信するステップと；
前記電子的に出版される作品の次の部分へ進む前に、前記読者に前記第１の部分のコンテンツクエリへの回答を前記ネットワークを介してコンテンツ管理サーバへ送信するよう要求するステップと；
前記第１の部分のコンテンツクエリへの回答の送信後に、前記ネットワークを介して前記電子的に出版される作品の次の部分を前記読者に配信するステップとを含むことを特徴とする方法。
【請求項３５】
電子的に出版される作品の読者体験を向上させる方法であって：
所定の条件を満たす場合に、ネットワークを介して、前記電子的に出版される作品の第１の部分を読者に配信するステップと；
前記電子的に出版される作品の次の部分へ進む前に、前記読者に前記第１の部分のコンテンツクエリへの回答を前記ネットワークを介してコンテンツ管理サーバへ送信するよう要求するステップと；
前記ネットワークを介して前記電子的に出版される作品の次の部分を前記読者に配信するステップとを含むことを特徴とする方法。
【発明の詳細な説明】
【技術分野】
【０００１】
本発明は一般に出版分野に関する。より具体的には、本発明は電子出版コンテンツ管理に関する。
【背景技術】
【０００２】
コンピュータの発展に伴い電子出版（ｅ出版）が事実上台頭してきた。電子出版は、作品の著者に数々の利点を提供し（配布コストが低く、フィールドのエントリーコストが低く、容易に複写できる等）、作品に新たな機能性を追加するが（アニメーション、リンク、譲渡等）、電子出版はこの点で作品自体の基本性質を変えてはならない。明白なゴールは、出版者にとってより容易に作品を配布することである。作品の出版者にはこれらの利点が提供され、作品の読者にもいくばくかの質の向上が提供されたが、実際は、読者が作品自体を楽しもうとするのが往々にして困難となってしまっている。
【０００３】
例えば、アドビ社はｅＢｏｏｋと称するものを提供している。これは軽便な保護ドキュメントファイル形式であり、本の形で出版する前にプリンタに送られたすべての意図および目的が出版物のドラフトコピーのように著者が自身の作品をスキャンまたはコピーすることができる。本質的には、エンドユーザはその作品を紙で楽しみたい場合、彼または彼女が所有するプリンタを動作させる必要がある。あるいは、ユーザはコンピュータスクリーンや他の可搬型電子デバイス上で作品を見るよう強要されていた。
【０００４】
米国特許公開ＵＳ２００２／０１８２５５７８は、現在の作品の仮想レプリカを作成することと、アニメーションやリンク等のインタラクション機能を追加する機能について開示している。これらのアプローチは、例えば著者や読者が出版物中で質問したり答えたりするメカニズムを提供することにより、ユーザと出版物とのインタラクションを実現する。
【発明の開示】
【発明が解決しようとする課題】
【０００５】
しかしながらこれらのケースでは、作品自体の基本性質は変わらない。ユーザは、書籍や定期刊行物、幾分異なる形式であっても、総ての意図と目的が本質的に受動的な特質を保持される環境においてユーザ自身のペースで素材を配置し、読み取り、要約する積極的な試みをなすよう要求される。ユーザのコンピュータのデスクトップにおけるｅＢｏｏｋへのリンクは、もはやナイトスタンドに置かれたペーパーバックより読み取りを進めるものではない。
【０００６】
連載型のコンテンツもまた、長いことネットワークインタフェースを解してユーザに届けられてきた。例えばThe Daily Inbox（http://dailyinbox.com/）などのウェブサイトは、書籍や定期刊行物の引用や一部を、電子メールやＰＤＡまたは他のインタフェースでサービスを申し込んだユーザに配信する。これらの記事の出版者は、１）オンラインコンテンツ配信を介して、印刷出版物の周知や読者層を増大させ、印刷出版物の売上げを伸ばす、２）コンテンツの一部としてエンドユーザに配信されるメッセージとともに配信される広告による広告料、という利益を得る。極端にいえば、出版者はエンドユーザが（ネットワークまたは印刷の）出版物を実際に利用し、活用し、実際に読んだかには関係なく、出版者が出版物の売上げや広告費によりもたらされる利益を得る。
【課題を解決するための手段】
【０００７】
本発明の好適な実施例によると、電子出版の配信が根本的に変わる。出版者の必要性に特化するのではなく、読者が電子出版物を体験して楽しんだ結果に焦点をあてる。この読者体験は、作品の配信を増やしたり作品自体に追加のインタラクション要素を盛り込んだりして充実させることにより向上する。
【０００８】
ある読者が作品を購入する際、この作品を読むことと、この作品から得られる何かしらの追加の利益を希望していると仮定するのが正しい。いくつかの作品は少しずつ（連載部分）で最終ユーザに良好に配信され、連載部分に基づくこの作品のインタラクションはユーザの全体的な体験を向上させる。連載部分はスケジュールに則り（さらにユーザの要求により任意に配信され）、あるいはユーザが特定の基準を満たすインタラクションの交換による見返りとして、エンドユーザに配信される。ユーザが連載部分を受信した場合、彼らはこの連載部分に付随するタスクを実行することを要求される。このユーザによるタスクの応答（またはその欠如）は記録され、ユーザは後に彼らのタスクへの応答結果（および連載部分）を見返すことができる。各タスクは正しいあるいは間違った答えを有し、あるいはタスクは特有の答えを必要とする。任意に、特定の管理者に割り当てられた様々なユーザのタスクの答えを観察することができる。
【０００９】
最終結果は、本質的に読者が読み続けることを余儀なくし作品とインタラクションするよう作品が読者に配信され、ユーザ（および任意に管理者）に読者の結果の記録（あるいはフィードバックも）を、前に読者に配信された作品のコンテンツとともに提供する。
【００１０】
本発明の様々な実施例の利点は多数ある。例えば、ユーザは定期的に回答を提供することにより、小さな増分の読書を続けることができる。ユーザは、自身で、助けや励まし、モチベーションがなくとも作品全体を終わらせる場合の嵩の大きさ、難しさ、複雑さにもう圧倒されなくなる。彼らは、定期的なやり方で、自身の進捗や成績の一定のリマインダで、作品に継続してあたる。研究によると、一つの関心物への複数の高度な脳機能を実行すると認識が強化される。例えば、研究により、電話番号を読み、書き、聞くと、その番号をより早く永続的に覚えられることが示されている。また研究により、項目（item）を小さい増分ピースに細かくするとよく覚えられることが示されている。最終的に、結果としてユーザがより簡単に自身の作品の完了を達成しその利益を受けることにある。
【発明を実施するための最良の形態】
【００１１】
本発明の実施例によると、コンテンツ管理および配信システムには３種のメインユーザがいる。
・エンドユーザ（ＡＫＡユーザ）
・様々な指定されたユーザの代理（proxy）として動作する（任意の）管理ユーザ（ＡＫＡユーザ管理者）
・アプリケーションを自身で管理し、管理者の役割を果たす管理ユーザ（ＡＫＡマネージャ）。この役割はまた、様々な作品、ユーザ、管理者（それらの会社と一緒に）に関連するｅコマースサイトの管理を含む。
【００１２】
各役割は、それぞれが管理するビジネスプロセスの明確な区分を有する。これらの役割を示す様々なビジネス上のルールを以下に記載する。
【００１３】
ここで用いるように、「作品」とは、小さな（discreet）部分に分割してユーザに配信しうる様々な関連コンテンツである。作品の例としては、書籍（例えば、Ｊ．Ｒ．Ｒ．トールキンの王の帰還）、雑誌や他の定期刊行物、関連する記事の群、トレーニングコース（training course）、特定のウェブサイトのコンテンツ等がある。
【００１４】
本発明の実施例にかかる電子出版コンテンツ管理方法およびシステムは以下を具える：
ユーザに関連する役割：
スケジュールまたはインタラクション（interactive）により、ネットワークプロトコルを介して、ユーザに配信される、比較的大きな作品の一部である小さなデータセット（ＡＫＡ連載部分）。
【００１５】
作品は小さな個別の連載部分に分割される。通常、概念として、各作品はエンドユーザが比較的短い期間で容易に読むことができ、吸収され、応答しうる関連する連載部分（installment）に細分化することにある。各連載部分についてタスクが作成される。このタスクは、ユーザが連載部分のコンテンツに関する何らかのフィードバックを要求あるいは必要とする。
【００１６】
連載部分とタスクに関する機能的なコンセプトは、読み、答えを出し、タスクに返答することの組合せが、平均的なユーザで３０分以上かからないことである。図１は、連載部分とユーザへのタスクのフローを示す図である。例えば、ハムレットの第１幕全体（連載部分）を提供し、「ハムレットの第１幕の簡単なあらましを述べよ」（タスク）を質問することは、このコンセプトの適切な運用とはならないが、ユーザにハムレットの第１幕第１章の最初の２０行（連載部分）について、フォームを介して複数の選択肢を返答可能なサイトへのハイパーリンクとともに「衛兵は誰？」（タスク）とするのが適切である。教育の設定では、適切な連載部分とタスクは、生徒に論文式テストを与えるのとは反対に、回答（タスク）を要求する１つのクイズ質問（連載部分）に似通ったものとなる。図２は、電子メールでユーザに配信される連載部分の例を示す図である。
【００１７】
連載部分を受信するインタフェース：
異なるネットワークプロトコルを用いて、能動的に連載部分をユーザに配信する。配信方法の一例は、電子メール、パーソナルデジタルアシスタント（ＰＤＡ）、および他のネットワーク配信プロトコルを含む。
【００１８】
現在の好適な実施例では、ユーザ側は特に努力を必要とすることなく連載部分がユーザに配信される。例えば、ユーザは、彼または彼女の電子メールクライアントを開いて電子メールを読み、あるいは彼または彼女のＰＤＡを同期させるが、彼らはウェブブラウザを開き特定のサイトを訪問して連載部分を取得する必要はない。エンドユーザの動作は本質的に受動的であり、連載部分の配信は毎日の行動経過において自然に発生する。例えば、本発明の実施例において、連載部分は、メッセージや連載部分を郵便局や特定の場所まで取りに行くのではなく、ユーザの家に配達される小包または手紙に似ている。一日の通常行動において、人は通常郵便受けを確認したり彼らの家屋を出るが（ドアステップにある小包を確認する）、ルーチンとして郵便局に出向くことはない。
【００１９】
ユーザのインタラクションを要求あるいは必要とする各連載物の主題に応じたタスク：
ユーザは、特定の連載物に付随する所定のタスクを実行する必要がありまたは要求される。例えば、連載部分のテキストが：ハムレットの第１幕第１章の最初の２０行であるとする。この連載部分に付随するタスクは、「衛兵は誰？」のようになる。
【００２０】
一実施例では、連載部分が電子メールでユーザに送られた場合、タスクを完了するには、ユーザは：１）電子メールを開き、２）連載部分を読み、３）回答を定め、４）ウェブサイトにログインし、５）フォームを利用して要求された情報を埋める、ことが必要である。図３は、連載部分を送信する電子メールに含まれるリンクとタスクの一例を示す図である。
【００２１】
各ユーザとユーザレベルの連載部分に関連する１またはそれ以上の構成要素を保存するコンテンツ管理システム：
コンテンツ管理システムの一例は、ユーザが自身のサブスクリプション、プリファレンス変更、新たな作品の取得、様々なタスクへの彼らの返答などを管理しうるデータベースを備えるウェブサイトである。標準のデータベースとセキュリティプロトコルを用いてデータの完全性とユーザのプライバシーを保証する。例えば、ユーザがウェブサイトの保護エリアにアクセスできるようにするログイン画面があり、ここにユーザの情報が保存されている。図４は、このようなログイン画面の例を示す。
【００２２】
エンドユーザに関するデータはデータベースに登録される。このデータは、ユーザネーム、住所、電子メールアドレス、有効なサブスクリプション、ユーザの好みのコンテンツ配信方法等のアイテムを含んでいる。一例として、不動産売買トレーニングコースがある。第１のケースでは、個人のエージェントがコースを購入し、このユーザは自身の好み（preferences）で変更できるデータについて大きな柔軟性を有する。例えば、ユーザは、月曜、水曜、金曜の正午に自身の電子メールアドレスに連載部分の配信を希望するよう決定することができる。別のケースでは、不動産会社がそのエージェントの利益のために同じコースを購入する。このケースでは、管理者がユーザの申し込みを管理し、結果としてユーザは自身のプリファレンスデータを変更するのにあまり柔軟性を有さない。例えば、管理者が、毎日午後１時に連載部分が配信されるよう決定する。ユーザは配信モード（電子メールかＰＤＡか）を変更したり、電子メールアドレスを変更できるが、連載部分の配信の頻度や時間を変更することはできない。図５は、ウェブ版ユーザプリファレンス画面の一例を示す。
【００２３】
ユーザがタスクを完成させるインタフェースが作成される。電子メールの連載部分のケースでは、これはユーザが電子メール自体に設けられたハイパーリンクをクリックできるウェブページとすることができる。ユーザがこのインタフェースを指示すると、ユーザにタスクを完了するのに様々なオプションが提示される。これらのオプションのいくつかは、連載部分や他のビジネスルールの性質を含む。このインタフェースの特定の実施例は、移行の段落に記載される管理セクションでさらに説明される。ユーザの返答（またはその欠如）は、この作品および連載部分に対応するデータベースに保存される。図６は、ユーザがタスクを完了するインタフェースを示す。
【００２４】
ユーザは、受信したあるいは完了した連載部分のコピーを閲覧することができる。ビジネスルールおよびユーザプリファレンスが、ユーザがどの連載部分を閲覧可能かを示してもよい。一例では、不動産売買トレーニングコースがある。第１のケースでは、個人のエージェントがコースを購入し、このユーザがすべての連載部分を完了しているか否かによらず一度に閲覧したいと決めてもよい。別のケースでは、不動産会社がエージェントの利益のために同じコースを購入する。このケースでは、管理者がユーザの申し込みを管理し、ユーザは順次完了して連載部分を見ることしかできない。あるいは、ユーザまたは管理者は、付随するタスクに正しく（あるいは間違って）答えた連載部分のみ閲覧するよう決定してもよい。他の例では、前の付きに受信した連載部分のみを閲覧可能としてもよい。図７は、閲覧可能な連載部分の参照またはコピーを示す。
【００２５】
ユーザは、自身が受信あるいは完了したタスクの結果を見ることができる。ビジネスルールやユーザプリファレンスに、このユーザが現在見ることができるタスクが示されている。一例として、不動産の売買トレーニングコースがある。第１のケースでは個人のエージェントがコースを購入し、このユーザは自身のタスクを、完了しているか否かによらず一度にすべて見るよう決定することができる。別のケースでは、不動産会社がそのエージェントの利益のために同じコースを購入する。このケースでは、管理者がユーザのサブスクリプションを管理し、ユーザが無事に完了したタスクのみ閲覧許可するようにする。あるいは、ユーザまたは管理者は、回答が正解（あるいは不正解）したタスクのみを見せるよう設定してもよい。別の例では、前の月に受信したタスクのみ等を閲覧可能としてもよい。図８は、ユーザの操作またはその欠如の結果を示す。
【００２６】
いくつかの実施例では、ユーザは特定のタスクへの特定の回答の「正解」に関するフィードバックを受けることが適切である。ビジネスルールおよび／または回答の適切さがこの場合のキーとなる。ビジネスルールや結果は、前の段落の記載に類似したものとなる。図９は、正答と誤答を示す画面の図である。
【００２７】
任意の電子商取引コンポーネント：
標準のｅコマースプロトコルや方法論を用いて任意にユーザが作品を直接購入できるようにする。
【００２８】
管理者および／またはマネージャに関連する役割：
管理者レベルでの各ユーザと連載部分に付随する１またはそれ以上の構成要素を保存するコンテンツ管理システム：
連載部分の追加または作成：
各連載部分（および付随するデータ）は、データベース内に格納される。この連載部分は、長い作品の一部である。個々の連載部分または作品には特別な情報またはルールが付随してもよい。例えば、ビジネスルールに、１の連載部分は作品Ａの３段落または１５００字以内となるよう指定し、他方で作品Ｂでは２段落または１０００文字以内に限定してもよい。連載部分は、電子ドキュメントのインポート、マニュアルデータ入力等を含む様々な方法論でデータベースに登録することができる。
【００２９】
各連載部分に、タスクが組み合わされている。このタスクの性質やユーザにどのように表示されるかはコンテンツ管理システムで用いられている方法や作品自体によって異なってよい。例えば、ウェブ版コンテンツ管理システムを用いる場合、ビジネスルールに、作品Ａについてはタスク本体の長さが２００字以内で当該タスクの答えが（例えばラジオボタンで）択一式であり、作品Ｂではタスク本体の長さが５００字以内でユーザの返答が任意、複数選択、あるいは択一式となってもよい。
【００３０】
いくつかのタスクは、正解を伴ってもよい。例えば、連載部分のテキストが、「ハムレット第１幕第１章の最初の２０行」である場合、この連載部分に付随するタスクは「衛兵は誰？」のようであってもよい。この例では、正しい答えは「ベルナルドとフランシスコ」となる。
【００３１】
ビジネスルールに、ユーザが正解を見られるかとその時期が指定されていてもよい。一例として、不動産売買トレーニングコースがある。ある実施例では、個人のエージェントがコースを購買し、自身の回答の正しさについて即時のフィードバックを得たいと指定する。別の実施例では、不動産会社がそのエージェントの利益のために同じコースを購買する。この例では、管理者は、ユーザが各チャプターを完了した時点で正解を示すようにする。図１１は、管理者／マネージャが連載部分およびタスクを追加または作成し得る画面を示す。図１２は、管理者／マネージャが連載部分やタスクのプリファレンスを設定しうる別の画面を示す。図１３は、管理者／マネージャが連載部分やタスクのプリファレンスを設定し得る別の画面を示す。図１４は、管理者／マネージャが連載部分やタスクを閲覧しうる画面を示す。
【００３２】
管理者／マネージャの役割に付随するレポートおよび管理ツール：
コンテンツ管理データベースの管理者レベルの管理に付随する管理およびレポートツールは、以下の１以上を含む：
ツール／レポート
・ユーザステータスおよびタスクの結果のレポート
・管理者により管理される様々な作品のレポート
・管理者により管理される様々な出版物
・その他
【００３３】
図１５は、様々なユーザが完了したタスクの結果を示す、管理者／マネージャレポート画面の一例を示す。
【００３４】
図１６は、ユーザの入力を（可能であれば）データベースの正解と比較し結果を表示する、管理者／マネージャレポート画面の一例を示す。
【００３５】
マネージャに関連する役割：
コンテンツ管理データベースにおけるマネージャの役割を実行するのに関連する管理およびレポートツールは、以下の１以上を含む：
ツール／レポート
・ユーザステータスおよびタスクの結果のレポート
・管理者ステータスのレポート
・マネージャにより管理される様々な作品のレポート
・管理者により管理される様々な作品のレポート
・出版者の追加／作成
・作品の追加／作成
・管理者（およびその会社）の追加／作成
・その他
【００３６】
図１８は、出版物（publishers）を見るための管理画面の一例を示す。図１９は、出版物を追加したり作成したりするための管理画面の一例を示す。
【００３７】
連載部分の送信：
連載部分と付随するタスクのテキストは、スケジュールに則って適切なネットワークプロトコルを用いてユーザに配信される。例えば、この方法が電子メールを用いる場合、定期的にデータベースにクエリーを出し、正当なユーザにペンディングの計画された連載部分のすべてを確認し、この情報をＳＭＴＰサーバに送ってユーザに連載部分を送信させるようジョブが実行される。別のクエリーにより、ユーザアカウントの連載部分がユーザに配信された日時を更新する。
【００３８】
（任意の）電子商取引データベースのマネージャの悪割りを実行する管理およびレポートツールは、以下の１以上を含む：
ツール／レポート
・作品のステータスのレポート
・セールスレポート
・出版者の追加／作成
・作品の追加／作成
・ユーザの追加／作成
・その他
【００３９】
この電子商取引データベースは、何らかの方法でコンテンツ管理データベースと接続されてもよい。この例では、作品データ、ユーザデータ、会社データ等を含む共通テーブルが用いられる。図２０は、マネージャ管理ツールの一例を示す概略図である。
【００４０】
上述した実施例は、本発明の原理の応用例を図示するに過ぎないと理解されたい。当業者であれば、本発明の意図および範囲を越えることなく様々な変更や代替構成を案出することができ、添付のクレームはこのような変更や変形を含む意図である。したがって、本発明の最も実用的で好適な実施例と現在思われるものについて特別かつ詳細に本発明を図示し説明したが、当業者であれば上述した原理やコンセプトを逸脱することなく様々な変更を施すことができる。
【図面の簡単な説明】
【００４１】
【図１】図１は、ユーザへのコンテンツ配信を示すブロック図である。
【図２】図２は、電子メールでユーザに連載部分が配信される例を示す図である。
【図３】図３は、連載部分の電子メールの一部のリンクとタスクの一例を示す図である。
【図４】図４は、ウェブ版ログイン画面の一例を示す図である。
【図５】図５は、ウェブ版ユーザプリファレンス画面の一例を示す図である。
【図６】図６は、ウェブ版ユーザタスク画面の一例を示す図である。
【図７】図７は、ウェブ版ユーザタスク画面に連載部分が含まれた一例を示す図である。
【図８】図８は、ウェブ版ユーザタスク画面の別の例を示す図である。
【図９】図９は、ウェブ版ユーザタスク画面で正しい返答を示す図である。
【図１０】図１０は、連載部分とタスクのユーザのインタラクションを示す概略図である。
【図１１】図１１は、ウェブ版管理者／マネージャ追加タスク画面の一例を示す図である（パート１）。
【図１２】図１２は、ウェブ版管理者／マネージャ追加タスク画面の一例を示す図である（パート２）。
【図１３】図１３は、ウェブ版管理者／マネージャ追加タスク画面の一例を示す図である（パート３）。
【図１４】図１４は、ウェブ版管理者／マネージャ閲覧用タスク／連載部分画面の一例を示す図である。
【図１５】図１５は、ウェブ版管理者／マネージャ閲覧用報告画面の一例を示す図である。
【図１６】図１６は、ウェブ版管理者／マネージャ閲覧用報告画面の別の例を示す図である。
【図１７】図１７は、管理者／マネージャとユーザプリファレンスのインタラクションを示す概略図である。
【図１８】図１８は、ウェブ版マネージャ閲覧用出版者画面の一例を示す図である。
【図１９】図１９は、ウェブ版マネージャ用追加／編集出版者画面の一例を示す図である。
【図２０】図２０は、マネージャ管理ツールの例を示す概略図である。
【図１】
2008509487.tif 000003
【図２】
2008509487.tif 000004
【図３】
2008509487.tif 000005
【図４】
2008509487.tif 000006
【図５】
2008509487.tif 000007
【図６】
2008509487.tif 000008
【図７】
2008509487.tif 000009
【図８】
2008509487.tif 000010
【図９】
2008509487.tif 000011
【図１０】
2008509487.tif 000012
【図１１】
2008509487.tif 000013
【図１２】
2008509487.tif 000014
【図１３】
2008509487.tif 000015
【図１４】
2008509487.tif 000016
【図１５】
2008509487.tif 000017
【図１６】
2008509487.tif 000018
【図１７】
2008509487.tif 000019
【図１８】
2008509487.tif 000020
【図１９】
2008509487.tif 000021
【図２０】
2008509487.tif 000022
【国際調査報告】
2008509487.tif 000023